(57)【要約】      （修正有）【課題】設置コストを上昇させることなく、地盤が支持梁の長手方向に傾斜している場合にも固定力のバラツキを防止できる物品支持構造を提供する。【解決手段】地盤は、支持梁６の長手方向における傾斜を有し、各支持杭の上端面５ａは傾斜に沿った高さで、かつ略水平となっており、上端面５ａと支持梁６との間に弾性変形可能の下側，上側傾斜補正部材２０，１９を介在させ、下側傾斜補正部材２０は、その傾斜方向低所側部分の厚さ寸法ｄ１が高所側部分の厚さ寸法ｄ２より小さくなるように圧縮されており、上側傾斜補正部材１９は、その傾斜方向高所側部分の厚さ寸法ｄ１′が低所側部分の厚さ寸法ｄ２′より小さくなるように圧縮されている。【選択図】図２
0003187987.tif 000002
【実用新案登録請求の範囲】
【請求項１】
その上部が上方に突出し、その下部が地盤に打ち込まれた複数の支持杭と、該各支持杭の上端面間に架け渡され、物品を支持する支持梁とを備えた物品支持構造において、
前記地盤は、前記支持梁の長手方向における傾斜を有し、前記各支持杭の上端面は、前記傾斜に沿った高さで、かつ略水平となっており、前記上端面と前記支持梁との間に、弾性変形可能の傾斜補正部材が介在されており、該傾斜補正部材は、前記傾斜方向低所側部分の厚さ寸法が該傾斜方向高所側部分の厚さ寸法より小さくなるように圧縮されていることを特徴とする物品支持構造。
【請求項２】
請求項１に記載の物品支持構造において、
前記支持杭の上端面と前記支持梁との間には、該支持梁の平面位置を調整する平面調整部材と、前記支持梁の高さ位置を調整する高さ調整部材とが介在されており、前記傾斜補正部材は、前記平面調整部材と高さ調整部材との間に介在されていることを特徴とする物品支持構造。
【請求項３】
請求項２に記載の物品支持構造において、
前記平面調整部材は横断面矩形箱状をなし、前記高さ調整部材は平板状をなしており、前記傾斜補正部材は、前記平面調整部材の下壁部の下面と前記高さ調整部材との間に介在された下側補正部材と、前記下壁部の上面と座金との間に介在された上側補正部材とで構成され、前記下側補正部材板は、前記傾斜方向低所側部分の厚さ寸法が該傾斜方向高所側部分の厚さ寸法より小さくなるように圧縮され、前記上側補正部材は、前記傾斜方向高所側部分の厚さ寸法が該傾斜方向低所側部分の厚さ寸法より小さくなるように圧縮されている
ことを特徴とする物品支持構造。
【考案の詳細な説明】
【技術分野】
【０００１】
本考案は、地盤に打ち込まれた複数の支持杭と、各支持杭の上端面に架け渡され、物品を支持する支持梁とを備えた物品支持構造に関する。
【背景技術】
【０００２】
例えば、太陽光発電システムを設置する場合、地盤に複数の杭を所定間隔をあけて打ち込み、各杭の上端面に梁部材を架け渡し、該梁部材に複数のソーラーパネルからなるユニットを固定する方法が採用されている。このような太陽光発電システムを設置するにあたって、例えば特許文献１には、ソーラーパネルユニットの高さ位置及び平面位置を調整する水平方向調整部材，ねじ式高さ調整部材を設けた構造が開示されている。
【先行技術文献】
【特許文献】
【０００３】
【特許文献１】特開２０１３−１９４３６５号公報
【考案の概要】
【考案が解決しようとする課題】
【０００４】
前記従来構造では、各ソーラーパネルユニットの高さ位置，平面位置の調整が可能であり、太陽光に対する効率の良い配置が可能である。
【０００５】
ところで、地盤が前記梁部材の長手方向に沿って傾斜している場合に、ソーラーパネルユニットを水平に配置する場合は、各ユニット毎の複数の杭の上端面高さを均一とし、地盤の傾斜方向下側に位置するソーラーパネルユニットを低い位置に階段状をなすように配置することとなる。しかしこのようにすると、前記傾斜方向下側のソーラーパネルユニット上に上側のソーラーパネルユニットの影ができてしまい、発電効率が低下するおそれがある。
【０００６】
この問題は、地盤の傾斜角度に応じて梁部材を傾斜するように配置することにより各ソーラーパネルユニットを全体して傾斜させて配置することで回避できるものと考えられる。しかし杭の水平をなす上端面と傾斜する梁部材との間に前記傾斜角度に応じた楔状の隙間が生じ、梁部材を杭に固定する際の固定力にバラツキが生じるおそれがある。この場合、隙間を楔形状のライナで埋めることも考えられるが、このようにするとライナ等の部品コストが高くなるとともに、設置作業工数が増加し、全体として設置コストが増加するという問題が生じる。
【０００７】
本考案は、前記従来の実情に鑑みてなされたもので、地盤が支持梁の長手方向に沿って傾斜している場合にも設置コストを上昇させることなく、固定力のバラツキを防止できる物品支持構造を提供することを課題としている。
【課題を解決するための手段】
【０００８】
請求項１の考案は、上部が上方に突出し、その下部が地盤に打ち込まれた複数の支持杭と、該各支持杭の上端面間に架け渡され、物品を支持する支持梁とを備えた物品支持構造において、
前記地盤は、前記支持梁の長手方向における傾斜を有し、前記各支持杭の上端面は、前記傾斜に沿った高さで、かつ略水平となっており、前記上端面と前記支持梁との間に、弾性変形可能の傾斜補正部材が介在されており、該傾斜補正部材は、前記傾斜方向低所側部分の厚さ寸法が該傾斜方向高所側部分の厚さ寸法より小さくなるように圧縮されていることを特徴としている。
【０００９】
請求項２の考案は、請求項１に記載の物品支持構造において、
前記支持杭の上端面と前記支持梁との間には、該支持梁の平面位置を調整する平面調整部材と、前記支持梁の高さ位置を調整する高さ調整部材とが介在されており、前記傾斜補正部材は、前記平面調整部材と高さ調整部材との間に介在されていることを特徴としている。
【００１０】
請求項３の考案は、請求項２に記載の物品支持構造において、
前記平面調整部材は横断面矩形箱状をなし、前記高さ調整部材は平板状をなしており、前記傾斜補正部材は、前記平面調整部材の下壁部の下面と前記高さ調整部材との間に介在された下側補正部材と、前記下壁部の上面と座金との間に介在された上側補正部材とで構成され、前記下側補正部材は、前記傾斜方向低所側部分の厚さ寸法が該傾斜方向高所側部分の厚さ寸法より小さくなるように圧縮され、前記上側補正部材は、前記傾斜方向高所側部分の厚さ寸法が該傾斜方向低所側部分の厚さ寸法より小さくなるように圧縮されている
ことを特徴とする物品支持構造。
【考案の効果】
【００１１】
請求項１の考案に係る物品支持構造によれば、各支持杭の上端面と支持梁との間に弾性変形可能の傾斜補正部材を介在させ、該傾斜補正部材を傾斜方向低所側部分の厚さ寸法が高所側部分の厚さ寸法より小さくなるよう圧縮変形させたので、地盤が傾斜していることにより生じる支持杭と支持梁との楔状の隙間を傾斜補正部材が弾性変形することで埋めることができる。これにより、楔形状のライナを不要としつつ、支持梁の支持杭への固定力のバラツキを防止でき、設置コストの上昇を回避できる。
【００１２】
また前記支持梁は地盤の傾斜角度に沿って傾斜しているので、本支持構造を、例えば太陽光発電システムに採用した場合には、各ソーラーパネルユニットが階段状に配設されている場合のような影が生じることはなく、発電効率を高めることが可能となる。
【００１３】
請求項２の考案では、支持杭の上端面と支持梁との間に、該支持梁の平面位置を調整する平面調整部材を介設するとともに、前記支持梁の高さ位置を調整する高さ調整部材を介設したので、支持梁を容易にかつ精度よく地盤の傾斜角度に沿うように設置することができる。
【００１４】
請求項３の考案では、下側補正部材と上側補正部材とを設け、下側補正部材は、前記傾斜方向低所側部分の厚さ寸法が該傾斜方向高所側部分の厚さ寸法より小さくなるように圧縮され、前記上側補正部材は、前記傾斜方向高所側部分の厚さ寸法が該傾斜方向低所側部分の厚さ寸法より小さくなるように圧縮されているので、楔形状のライナを不要としつつ、支持梁の支持杭への固定力のバラツキをより一層確実に防止でき、支持梁を強固に支持杭に固定できる。
【図面の簡単な説明】
【００１５】
【図１】本考案の実施例１によるソーラーパネルユニット支持装置を備えた太陽光発電システムの全体構成図である。
【図２】前記ソーラーパネルユニット支持装置の断面正面図である。
【図３】前記支持装置の断面側面図である。
【図４】前記支持装置の概略構成図である。
【考案を実施するための形態】
【００１６】
以下、本考案の実施の形態を添付図面に基づいて説明する。
【実施例１】
【００１７】
図１ないし図４は、本考案の実施例１によるソーラーパネルユニット支持構造を説明するための図である。本実施例では、太陽光発電システムのソーラーパネルユニット支持構造を例にとって説明する。また本実施例において、前後，左右とは、太陽光発電システムを図１に示す正面（北側）から見た状態での前後，左右を意味する。
【００１８】
図において、１は大規模太陽光発電システムを示している。この太陽光発電システム１は、地盤２上に互いに隣接するよう敷設された多数のソーラーパネルからなるソーラーパネルユニット３と、該各ソーラーパネルユニット３を太陽光の照射方向に対応した傾斜角度、つまり南側が低くなるように支持する支持装置４とを備えている。
【００１９】
前記地盤２は、正面（北側）から見て、左側（東側）から右側（西側）に向かって水平面ａに対してθだけ傾斜しており（図４参照）、前記支持装置４は前記傾斜する地盤２に沿うようにソーラーパネルユニット３を支持している。
【００２０】
前記支持装置４は、正面から見て、前記ソーラーパネルユニット３ごとに地盤２の傾斜面に沿う高さとなるように所定間隔をあけて打ち込まれた複数の前側支持杭５，後側支持杭５′と、該各前側支持杭５及び後側支持杭５′の上端面５ａにそれぞれ架け渡すように配置された前側支持梁６及び後側支持梁６′と、該前側，後側支持梁６，６′に架け渡して配置された枠形状のフレーム部材７とを備えており、該フレーム部材７に前記各ソーラーパネルが取り付けられてユニット化されている。前記フレーム部材７は、前側，後側脚部材１０，１１により前記前，後側支持梁６，６′に固定されている。
【００２１】
前記各支持杭５，５′は、略四角柱をなすコンクリート製のもので、これの前面及び後面には、前記地盤２内に打ち込んだ際の摩擦力を増大させ、もって抜けを防止するための凹部５ｂが形成されている。
【００２２】
前記各支持杭５，５′は、その下部５ｄが前記地盤２内に打ち込まれており、その上部５ｃは地盤２から上方に突出している。この各支持杭５，５′の上端面５ａは、前記地盤２の傾斜面に沿った高さで、かつ前記水平面ａと略平行をなすよう設置されている。
【００２３】
前記各支持杭５，５′の軸芯部には、アンカーボルト９が埋め込まれており、該アンカーボルト９のねじ部９ａは、前記上端面５ａから上方に突出している。
【００２４】
前記前側，後側支持梁６，６′は、上壁６ａと下壁６ｂとを縦壁６ｃで一体に結合してなる、いわゆるＨ型綱であり、前記地盤２の傾斜面に略沿って延びている。
【００２５】
前記各支持梁６，６′の上壁６ａには、それぞれ前記フレーム部材７の前側脚部材１０及び後側脚部材１１がボルト（不図示）あるいは溶接等により固定されている。
【００２６】
前記各支持杭５，５′の上端面５ａと支持梁６，６′との間には、前後方向に開口する角筒形状の平面調整部材１５が介設されている。この平面調整部材１５の上壁部１５ａには、前記支持梁６，６′の下壁６ｂが４本のボルト１６により締結固定されている。
【００２７】
前記各平面調整部材１５の下壁部１５ｂには、前記支持梁６，６′の前後，左右方向における平面位置を調整するための大径の調整孔１５ｃが形成されている。この下壁部１５ｂには、前記調整孔１５ｃより大径の座金１４が配置されている。
【００２８】
前記アンカーボルト９のねじ部９ａは、前記調整孔１５ｃ及び座金１４を貫通して平面調整部材１５内に突出しており、該ねじ部９ａには２つのロックナット１２，１２が螺着されている。
【００２９】
前記各支持杭５，５′の上端面５ａと平面調整部材１５の下壁部１５ｂとの間には、支持梁６，６′の高さ位置を調整するライナ（高さ調整部材）１７，１７が介設されている。
【００３０】
前記ライナ１７は、鋼板からなる矩形平板状のもので、これの中心部には、前記アンカーボルト９が貫通する貫通孔１７ａが形成されている。このライナ１７の枚数を調整することにより支持梁６，６′の高さ位置が調整されている。
【００３１】
前記各支持杭５，５′の上端面５ａに配置されたライナ１７の上面と、前記支持梁６，６′の下壁部１５ｂの下面との間には、弾性変形可能な下側ゴム板（下側傾斜補正部材）２０が介在され、前記下壁部１５ｂの上面と前記座金１４との間には上側ゴム板（上側傾斜補正部材）１９が介在されている。
【００３２】
前記上側，下側ゴム板１９，２０は、硬質ゴムからなる矩形平板状のもので、これの中心部には、前記アンカーボルト９が挿通する挿通孔１９ａ，２０ａが形成されている。
【００３３】
前記上側ゴム板１９は、前記平面調整部材１５の下壁部１５ｂの上面と前記座金１４との間に挿入配置され、前記下側ゴム板２０は、前記下壁部１５ｂの下面とライナ１７との間に挿入配置されている。
【００３４】
前記各支持梁６，６′は、前記アンカーボルト９のねじ部９ａに装着された前記ロックナット１２を締め付けることにより平面調整部材１５を介在させて前記支持杭５，５′に締結固定されている。
【００３５】
そして前記各支持梁６，６′を固定した状態で見たとき、前記下側ゴム板２０は、地盤２の傾斜方向低所側部分の厚さ寸法ｄ１が傾斜方向高所側部分の厚さ寸法ｄ２より小さくなるように圧縮変形されている（図２参照）。一方、前記上側ゴム板１９は、地盤２の傾斜方向高所側部分の厚さ寸法ｄ１′が傾斜方向低所側部分の厚さ寸法ｄ２′より小さくなるように圧縮変形されている。このようにライナ１７ひいては支持杭５，５′の上端面５ａと座金１４との間で上側，下側ゴム板１９，２０が弾性変形することにより前記平面調整部材１５ひいては支持梁６が支持杭５に確実に固定されている。
【００３６】
即ち、各支持杭５，５′を、これの上端面５ａが地盤２の傾斜面に沿った高さで、かつ水平面ａと平行となるよう設置した場合には、支持梁６，６′に固定された平面調整部材１５と上端面５ａとの隙間は、傾斜方向高所側部分が低所側部分より大きくなる。本実施例では、両者１５，５ａの間に弾性変形可能な上側，下側ゴム板１９，２０を介在させたので、該ゴム板１９，２０が弾性変形して前記隙間の差を埋めることとなり、支持梁６を傾斜配置しながら確実に支持杭５に固定できる。ちなみに、前記隙間の差は１〜３ｍｍ程度である。
【００３７】
このように本実施例によれば、各支持杭５，５′の上端面５ａと各支持梁６，６′との間に弾性変形可能の上側，下側ゴム板（傾斜補正部材）１９，２０を介在させ、該下側ゴム板２０を、これの傾斜方向低所側部分の厚さ寸法ｄ１が高所側部分の厚さ寸法ｄ２より小さくなるように圧縮変形させ、該上側ゴム板１９を、これの傾斜方向高所側部分の厚さ寸法ｄ１′が低所側部分の厚さ寸法ｄ２′より小さくなるように圧縮変形させたので、地盤２が支持梁６，６′の長手方向に傾斜していることにより生じる支持杭５，５′と支持梁６，６′との隙間の差を吸収することができ、楔形状のライナを要することなく支持梁６，６′の支持杭５，５′への固定力のバラツキを防止できる。
【００３８】
また前記支持梁６，６′は地盤の傾斜角度に沿って傾斜しているので、各ソーラーパネルユニット３が階段状に配設されている場合のような影が生じることはなく、発電効率を高めることが可能となる。
【００３９】
また本実施例では、前記各支持杭５，５′の上端面５ａと各支持梁６，６′との間に、該支持梁６，６′の平面位置を調整する平面調整部材１５を介設するとともに、前記支持梁６，６′の高さ位置を調整するライナ（高さ調整部材）１７を介在させたので、支持梁６，６′を容易にかつ精度よく地盤の傾斜角度に沿うように設置することができる。
【００４０】
なお、前記実施例では、下側，上側ゴム板２０，１９を設けた場合を説明したが、本考案では、上側ゴム板１９については必ずしも設けなくてもよい。
【００４１】
また前記実施例では、ソーラーパネルの支持構造を例に説明したが、本考案の支持構造は、これに限られるものではなく、要は地盤が支持梁の長手方向に傾斜している場合に適用可能である。
【符号の説明】
【００４２】
２  地盤
３  ソーラーパネル（物品）
５，５′  支持杭
５ａ  上端面
５ｃ  上部
５ｄ  下部
６，６′  支持梁
１５  平面調整部材
１７  ライナ（高さ調整部材）
１９，２０  上側，下側ゴム板（上側，下側傾斜補正部材）
ｄ１  下側補正部材の低所側部分の厚さ寸法
ｄ２  下側補正部材の高所側部分の厚さ寸法
ｄ１′  上側補正部材の高所側部分の厚さ寸法
ｄ２′  上側補正部材の低所側部分の厚さ寸法
【図１】
0003187987.tif 000003
【図２】
0003187987.tif 000004
【図３】
0003187987.tif 000005
【図４】
0003187987.tif 000006